(57)【特許請求の範囲】
【請求項１】
トリガボタンへの操作に応じて被写体の映像を撮影する撮影手段と、
前記撮影手段によって撮影された映像を記録可能な第１の外部記録媒体と、前記第１の外部記録媒体とは異なる外部機器とに接続可能な第１の接続手段と、
前記第１の外部記録媒体とは異なる第２の外部記録媒体を接続可能な第２の接続手段と、
映像を、前記第１の接続手段に接続されている前記第１の外部記録媒体に記録するか、前記第２の接続手段に接続されている前記第２の外部記録媒体に記録するかを選択する選択手段と、
前記第１の外部記録媒体に映像を記録すると選択された場合に、前記第１の接続手段に前記第１の外部記録媒体が接続されているか、または、ＴＶチューナーの機能を有する外部機器が接続されているかを判別する判別手段と、
前記判別手段により前記第１の外部記録媒体が接続されていると判別された場合は、撮影モードに、前記判別手段により前記ＴＶチューナーの機能を有する外部機器が接続されていると判別された場合はＴＶ視聴モードに、自動的に切り替えるモード切替手段と、
前記トリガボタンの押下に応じて映像の記録を開始し、映像の記録中に再度前記トリガボタンが押下されたことに応じて、映像の記録を停止し、映像の記録を制御する制御手段であって、前記撮影モードの場合は、前記トリガボタンの押下に応じて、前記撮影手段により撮影した映像を前記第１の外部記録媒体に記録し、前記ＴＶ視聴モードの場合には、前記トリガボタンの押下に応じて、ＴＶ映像を前記第２の外部記録媒体に記録する制御手段とを有し、
前記制御手段は、前記第１の接続手段に接続されている前記第１の外部記録媒体に映像を記録すると選択されていても、前記ＴＶ視聴モードの場合には、前記第２の外部記録媒体に映像を記録することを特徴とする撮影装置。
【請求項２】
前記撮影手段によって撮影される映像の画角調整を行えるズーム操作部を有し、
前記制御手段は、前記判別手段が、前記接続手段に接続される前記外部機器がＴＶチューナーの機能を有すると判別した場合、前記ズーム操作部が、ＴＶの選局操作を行うように機能するように制御することを特徴とする請求項１に記載の撮影装置。
【請求項３】
前記ズーム操作部は、常に中立位置へと復帰するように構成された操作部材であり、
前記制御手段は、前記撮影モードの場合は前記ズーム操作部での前記画角調整でのズーミングのスピードを該ズーム操作部の押し量によって可変させるように制御し、前記ＴＶ視聴モードの場合は前記ズーム操作部による選局操作での選局のスピードを該ズーム操作部の押し量によって可変させるよう制御することを特徴とする請求項２に記載の撮影装置。
【請求項４】
前記操作手段として、前記撮影手段による撮影のフォーカス調整部を有し、
前記制御手段は、前記判別手段が、前記接続手段に接続される前記外部機器がＴＶチューナーの機能を有すると判別した場合、前記フォーカス調整部が、ＴＶの音量調整を行うように機能するように制御することを特徴とする請求項１または２に記載の撮影装置。
【請求項５】
前記フォーカス調整部は、連続的に滑らかに回転するように構成された操作部材であることを特徴とする請求項４に記載の撮影装置。
【請求項６】
前記第１の接続手段に前記第１の記録媒体が接続されていても、前記トリガボタンが長押しされた場合は、前記モード切替手段は、前記撮影モードに切り替えることを特徴とする請求項１ないし５のいずれか１項に記載の撮影装置。
【請求項７】
トリガボタンへの操作に応じて被写体の映像を撮影する撮影ステップと、
前記撮影手段によって撮影された映像を記録可能な第１の外部記録媒体と、前記第１の外部記録媒体とは異なる外部機器とに接続可能な第１の接続ステップと、
前記外部記録媒体とは異なる第２の外部記録媒体を接続可能な第２の接続ステップと、
映像を、前記第１の接続ステップで接続されている前記第１の外部記録媒体に記録するか、前記第２の接続ステップで接続されている前記第２の外部記録媒体に記録するかを選択する選択ステップと、
前記第１の外部記録媒体に映像を記録すると選択された場合に、前記第１の接続ステップで前記第１の外部記録媒体が接続されているか、または、ＴＶチューナーの機能を有する外部機器が接続されているかを判別する判別ステップと、
前記判別ステップにより前記第１の外部記録媒体が接続されていると判別された場合は、撮影モードに、前記判別ステップにより前記ＴＶチューナーの機能を有する外部機器が接続されていると判別された場合はＴＶ視聴モードに、自動的に切り替えるモード切替ステップと、
前記トリガボタンの押下に応じて映像の記録を開始し、映像の記録中に再度前記トリガボタンが押下されたことに応じて、映像の記録を停止し、映像の記録を制御する制御ステップであって、前記撮影モードの場合は、前記トリガボタンの押下に応じて、前記撮影ステップにより撮影した映像を前記第１の外部記録媒体に記録し、前記ＴＶ視聴モードの場合には、前記トリガボタンの押下に応じて、ＴＶ映像を前記第２の外部記録媒体に記録する制御ステップとを有し、
前記制御ステップにおいて、前記第１の接続ステップにおいて接続されている前記第１の外部記録媒体に映像を記録すると選択されていても、前記ＴＶ視聴モードの場合には、前記第２の外部記録媒体に映像を記録することを特徴とする撮影方法。
【請求項８】
トリガボタンへの操作に応じて被写体の映像を撮影する撮影手段と、
前記撮影手段によって撮影された映像を記録可能な第１の外部記録媒体と、前記第１の外部記録媒体とは異なる外部機器とに接続可能な第１の接続手段と、
前記外部記録媒体とは異なる第２の外部記録媒体を接続可能な第２の接続手段と、
映像を、前記第１の接続手段に接続されている前記第１の外部記録媒体に記録するか、前記第２の接続手段に接続されている前記第２の外部記録媒体に記録するかを選択する選択手段と、
前記第１の外部記録媒体に映像を記録すると選択された場合に、前記第１の接続手段に前記第１の外部記録媒体が接続されているか、または、ＴＶチューナーの機能を有する外部機器が接続されているかを判別する判別手段と、
前記判別手段により前記第１の外部記録媒体が接続されていると判別された場合は、撮影モードに、前記判別手段により前記ＴＶチューナーの機能を有する外部機器が接続されていると判別された場合はＴＶ視聴モードに、自動的に切り替えるモード切替手段と、
前記トリガボタンの押下に応じて映像の記録を開始し、映像の記録中に再度前記トリガボタンが押下されたことに応じて、映像の記録を停止し、映像の記録を制御する制御手段であって、前記撮影モードの場合は、前記トリガボタンの押下に応じて、前記撮影手段により撮影した映像を前記第１の外部記録媒体に記録し、前記ＴＶ視聴モードの場合には、前記トリガボタンの押下に応じて、ＴＶ映像を前記第２の外部記録媒体に記録する制御手段としてコンピュータを機能させるためのプログラム。
【請求項９】
トリガボタンへの操作に応じて被写体の映像を撮影する撮影手段と、
前記撮影手段によって撮影された映像を記録可能な第１の外部記録媒体と、前記第１の外部記録媒体とは異なる外部機器とに接続可能な第１の接続手段と、
前記外部記録媒体とは異なる第２の外部記録媒体を接続可能な第２の接続手段と、
映像を、前記第１の接続手段に接続されている前記第１の外部記録媒体に記録するか、前記第２の接続手段に接続されている前記第２の外部記録媒体に記録するかを選択する選択手段と、
前記第１の外部記録媒体に映像を記録すると選択された場合に、前記第１の接続手段に前記第１の外部記録媒体が接続されているか、または、ＴＶチューナーの機能を有する外部機器が接続されているかを判別する判別手段と、
前記判別手段により前記第１の外部記録媒体が接続されていると判別された場合は、撮影モードに、前記判別手段により前記ＴＶチューナーの機能を有する外部機器が接続されていると判別された場合はＴＶ視聴モードに、自動的に切り替えるモード切替手段と、
前記トリガボタンの押下に応じて映像の記録を開始し、映像の記録中に再度前記トリガボタンが押下されたことに応じて、映像の記録を停止し、映像の記録を制御する制御手段であって、前記撮影モードの場合は、前記トリガボタンの押下に応じて、前記撮影手段により撮影した映像を前記第１の外部記録媒体に記録し、前記ＴＶ視聴モードの場合には、前記トリガボタンの押下に応じて、ＴＶ映像を前記第２の外部記録媒体に記録する制御手段としてコンピュータを機能させるためのプログラムを記録したコンピュータに読取り可能な記録媒体。
【発明の詳細な説明】
【技術分野】
【０００１】
本発明は、テープなどの記録媒体を使用するビデオカメラ等のカメラ装置に関するものである。
【背景技術】
【０００２】
これまで動画を記録する手段として、テープを記録媒体とする様々なビデオカメラが開発され、広く一般に普及している。近年では、DVフォーマットのように動画をデジタル信号処理して記録するDVCが主流となっている。これらの中にはメモリーカードスロットを備え、静止画や高圧縮率のMPEG４動画データなどをメモリーカードに記録できるようにした製品も多くなっている。
【０００３】
また、これらのビデオカメラは、撮影対象や再生映像を確認するための手段としてビューファインダーのほかに、比較的大型の液晶パネルを備えるのが一般的である。そこで、動画や静止画を記録・再生する以外にビデオカメラの用途を広げるものとして、TVチューナーパックを用意し、ビデオカメラ専用の取り付け部もしくはドッキングステーション上でビデオカメラとTVチューナーパックを接続することで、上記液晶パネルでTV鑑賞ができるように構成した製品が提案されている（特許文献１等）。
【０００４】
図１３はその一例を示すもので、図において４１はチューナーユニット、４２はビデオカメラ（デッキ部）本体である。チューナーユニット４１は、ビデオカメラ本体４２の側面に設けられた結合部４３にチューナーユニットを接続し、固定することで本体へTV映像信号を送るように構成されている。チューナーユニット４１には、電源スイッチ４４、選局ボタン４５、音量ボタン４６などが備えられている。
【０００５】
【特許文献１】特開平３−２４７１７４号公報
【発明の開示】
【発明が解決しようとする課題】
【０００６】
しかしながら、従来のチューナーパックは大きく、ビデオカメラ本体とともに携帯するのに不便であった。また、ビデオカメラ本体に取り付ける手間がかかる上、チューナーパック自体に電源スイッチや選局ボタンが設けられており、ビデオカメラ本体と接合したときの操作性に劣るほか、小型化にも不利であった。
【０００７】
そこで、本発明は使用性、操作性等に優れ、小型化を有効に実現するカメラ装置を提供することを目的とする。
【課題を解決するための手段】
【０００８】
本発明の撮影装置は、トリガボタンへの操作に応じて被写体の映像を撮影する撮影手段と、前記撮影手段によって撮影された映像を記録可能な第１の外部記録媒体と、前記第１の外部記録媒体とは異なる外部機器とに接続可能な第１の接続手段と、前記第１の外部記録媒体とは異なる第２の外部記録媒体を接続可能な第２の接続手段と、映像を、前記第１の接続手段に接続されている前記第１の外部記録媒体に記録するか、前記第２の接続手段に接続されている前記第２の外部記録媒体に記録するかを選択する選択手段と、前記第１の外部記録媒体に映像を記録すると選択された場合に、前記接続手段に前記第１の外部記録媒体が接続されているか、または、ＴＶチューナーの機能を有する外部機器が接続されているかを判別する判別手段と、前記判別手段により前記第１の外部記録媒体が接続されていると判別された場合は、撮影モードに、前記判別手段により前記ＴＶチューナーの機能を有する外部機器が接続されていると判別された場合はＴＶ視聴モードに、自動的に切り替えるモード切替手段と、前記トリガボタンの押下に応じて映像の記録を開始し、映像の記録中に再度前記トリガボタンが押下されたことに応じて、映像の記録を停止し、映像の記録を制御する制御手段であって、前記撮影モードの場合は、前記トリガボタンの押下に応じて、前記撮影手段により撮影した映像を前記第１の外部記録媒体に記録し、前記ＴＶ視聴モードの場合には、前記トリガボタンの押下に応じて、ＴＶ映像を前記第２の外部記録媒体に記録する制御手段とを有し、前記制御手段は、前記第１の接続手段に接続されている前記第１の外部記録媒体に映像を記録すると選択されていても、前記ＴＶ視聴モードの場合には、前記第２の外部記録媒体に映像を記録することを特徴とする。
【発明の効果】
【００１２】
本発明によれば、TV視聴が可能なカメラにおいて、カメラ本体の操作部を適宜TV視聴用の操作部として割り当てることによって、カメラの操作部を増やすことなくカメラにおける快適なTV視聴を可能にする。
【発明を実施するための最良の形態】
【００１３】
以下、図面に基づき本発明によるカメラ装置の好適な実施の形態を説明する。
図１〜図４は、本発明を適用したビデオカメラの各側面を示した図である。１はビデオカメラ本体、２は開閉自在な蓋2aを備えたメモリーカードスロット、３はメモリーカードスロット２に挿入可能なTVチューナーカード、４は液晶表示パネル、５はズームレバーもしくはボタン  、６はメニューボタン、７はレンズ、８はマイク、９はトリガーボタン、１０は電源切り替えスイッチ、１１はテープ・カード切り替えボタン、１２はメモリーカード、１５はビューファインダー、１６はレコーダー操作ボタン、１７はスピーカー、４０はフォーカスリングである。
【００１４】
図５は、メモリーカードスロットの内部構造を示す図である。１３はメモリーカード１２と接続する端子列、１４はTVチューナーカード３用の端子列である。TVチューナーカードについては特開平６−１７８２１８号公報等に開示されているように、先端に信号の入出力を行うコネクタ３ａが設けられており、その外形はメモリーカードの大きさと略同一であるが、外形にメモリーカードとは異なる形状（３ｂ）が形成される。この部分に対し、メモリーカードスロット２の段部２ｂがストッパーとなって、メモリーカード２とは異なる挿入深さとなるように構成されている。
【００１５】
メモリーカード１２にも同様に信号の入出力用の端子１２ａが設けられているが、ＴＶチューナーカード３の端子列とは配列・数ともに異なる。このため本発明のビデオカメラに搭載されるメモリースロット２には、それぞれのカードに適合する端子列が設けられている。
【００１６】
メモリーカードスロット２にメモリーカード１２が挿入された場合には、第7図に示すように、メモリーカード用の端子列１３がメモリーカード１２の端子部１２ａと接触し、ＴＶチューナーカード３が挿入された場合には、第6図に示すように、ＴＶチューナーカード３の本体が前記メモリーカード用の端子列１２ａを押しのけるようになっており、その奥に位置するＴＶチューナーカード用の端子列１４とＴＶチューナーカード３のコネクタ３ａが接触するように構成されている。
【００１７】
上記構成は、TVチューナーカード３がアナログチューナーである場合であるが、TVチューナーカード３がデジタルチューナーカードである場合には、TVチューナーカード内で信号を処理することによって、メモリーカードと同様の端子列で信号を授受することも可能である。この場合、メモリーカードスロットの端子列は、メモリーカード用の端子列１３のみ備えればよい。
【００１８】
図８は、本発明によるビデオカメラの概略構成を示すブロック図である。図においてＣＰＵ２３は、ＲＯＭ２４に格納された本発明によるビデオカメラの制御プログラムを実行し、ＲＡＭ２５をワークエリアとして使用する。キーボタン３４は、図１から図４に示したズームボタン５、フォーカスリング４０、トリガーボタン９等の各種操作ボタンを示すものである。ＣＰＵ２３はキーボタン３４及び、電源切り替えスイッチ１０、テープ・カード切り替えSW１１から得られるユーザ入力情報に従って、装置内の各部を制御する。
【００１９】
例えばズームボタン５は中立位置からテレ側、ワイド側へと操作できりようにボタンが構成される。それぞれの側にボタンを動かしたときに、図示しない内部SWがONとなり、CPU２３は、このSWのON／ＯＦＦ状態によりレンズ７のズームモータ−を駆動し、レンズのズーミング動作を行うよう制御する。
【００２０】
同様に、フォーカスリング４０の回転動作を図示しないパルス検出手段により検出し、ＣＰＵ２３はレンズ７のフォーカスモーターを駆動させ、ピント合わせを行う。電源Sw１０がカメラモードの場合、レンズ７を介して被写体の映像がＣＣＤ２８の受光面に結像し、ＣＣＤ２８は映像信号を出力する。ＣＣＤ信号処理部２９はＣＣＤ２８からの映像信号を処理し、デジタルの映像データを出力する。これらレンズ７、ＣＣＤ２８、ＣＣＤ信号処理部２９がまとまってカメラ部を構成する。
【００２１】
また、マイク８により収録された音声はアンプ２１により増幅され、Ａ／Ｄ変換器２２によりＡ／Ｄ変換される。前記カメラ部からのデジタル映像データと、デジタル音声データを圧縮伸張部１９が圧縮処理して、テープもしくはカードに映像を記録する。この選択は、テープ・カード切り替えボタン１１でなされ、カード記録時には、映像データは圧縮・伸長部１９により例えばＭＰＥＧ４で圧縮され、カードＩ／Ｆ３６を介してメモリーカード３７に記録される。また、テープ記録時には、映像データは例えばDVフォーマットに基づいて圧縮され、VTR  I/F３３を介してテープ媒体に映像信号を記録する。
【００２２】
カメラ撮影時には、ズームボタン５、フォーカスリング４０が最も頻繁に使用される操作キーである。これらのキーは使用頻度も高いことから、特に操作性を考慮した形状となっている。
【００２３】
カードI/F３６は、メモリーカードスロット３７に装填されたカードが、メモリーカードなのかチューナーカードなのかを判別する。そして、その情報をCPU２３に送る。ＣＰＵ２３はその情報に基づき、カメラ部のＯＮ／ＯＦＦや、操作ボタンの切り替え等を行う。
【００２４】
図９は、本発明によるビデオカメラの動作を示したものである。前述したようにメモリーカードを備えるビデオカメラにおいては、テープへの記録再生と、カードへの記録再生とにおいて、その圧縮フォーマットや画像解像度が異なる。このためテープ・カード切り替えボタン１１によって映像信号処理方法を切り替えるように構成されている。
【００２５】
テープ・カード切り替えボタン１１が“テープ”モードの時には、電源切り替えスイッチ１０を“カメラ”モードにすることによって、カメラ部の電源がオンする。液晶パネル４には、カメラ部の映像出力（撮影対象）が表示され、テープデッキ部４１が記録スタンバイ状態になる。トリガーボタン９を一回押すと、テープ走行がスタートし、カメラ部映像信号のテープ記録が開始される。もう一度トリガーボタン９を押すとテープ記録が停止し、再度記録スタンバイ状態となるように構成される。
【００２６】
カメラ部の電源がオンの状態では、カメラ系の操作ボタンが有効であり、ズームボタンや、シャッタースピード、プログラムAE等の露出制御ボタンを使用して、好みに合わせて撮影画像を調整して記録することができる。
【００２７】
また、“テープ”モードで電源切り替えスイッチ１０を“VTR”モードにすると、カメラ部の電源がオフとなる。この場合、テープデッキ部分の再生機能が使用できるようになり、再生・早送り・巻き戻し・スロー再生等のボタンを操作してテープ記録信号の再生ができる。このとき再生映像は液晶パネル４に表示される。
【００２８】
次に、テープ・カード切り替えボタン１１を“カード”モードにした場合、カードI/F３３は、そのカードがメモリーカードなのかチューナーカードなのかを判別する。カードがメモリーカードである場合、メモリーカード用の信号処理を行い、上記の“テープ”モードと同様に、電源切り替えスイッチ１０を選択することによって、メモリーカードに画像を記録・再生することができる。すなわち、記録再生媒体がテープからメモリーカードに変わっただけで、両者の基本的な動作は同じものである。（図中破線の範囲）
【００２９】
また、カードがチューナーカードである場合には、電源切り替えスイッチ１０の位置に関わらず、カメラ部の電源はOFFとなり強制的にVTRモードとなる。このとき液晶パネル４には、チューナーカードが装填されていることと、強制的にVTRモードになっていることが分かり易く表示され、使用者が戸惑わないように構成されている。この場合、液晶パネル４にはTVのCH（チャンネル）表示がされるが、これは表示のON/OFFで消すこともできる。
【００３０】
また、CHの切り替えは、ズームボタン５によって操作することができるように割り当てられる。チューナーカードを使用するときには、カメラ部は使用されることが無いため、操作性に優れ、直感的にもCH切り替え操作ボタンと認識し易いズームボタン５をCH切り替えに割り当てることで、操作性に優れたTV視聴が可能となる。
【００３１】
ところで、ズームボタン５は常に中立位置へと復帰するように構成され、ズーミングのスピードを、その押し量によって可変できるように構成されている。その押し量が多い時には高速ズーム、一方、少ないときには低速ズームとなるように構成されている。TV視聴時において、ズームレバーをCH切り替えに使用する場合にも、その押し量によって、CH切り替えのスピードを可変させることも可能である。
【００３２】
また、このときVTR部は記録スタンバイ状態になっており、トリガーボタン９を押すと、TV映像のテープ記録を行うようになっている。
また、このときレンズ部に設けられるフォーカスリング４０は、音量（VOL）調整に使用するように割り当てられる。フォーカスリングは、連続的に滑らかに回転するように構成され、直感的にも音量調整がし易いものである。
【００３３】
このように構成することでTVチューナーカードが装填されたときには、TV視聴の機能を最優先で割り当て、主要な操作であるCH選局およびVOL調整を、ビデオカメラの操作キーの中で最も操作し易く、感覚的にも分かり易いズーム及びフォーカスリングを用いることで、快適な操作性を得ることができる。
【００３４】
図１０は、本発明の他の実施形態を示したものである。TVチューナーカードが装填され、電源切り替えSWがカメラモードの時に、トリガーボタンを長押しした場合には、カメラ部をONとする。そして、パネルにカメラ映像を表示して、カメラ画像をテープに記録するように切り替えるようにしたものである。このようにすることによってTV視聴中に、カメラ撮影のチャンスを逃さず、すぐにカメラ撮影が可能となる。
【００３５】
また、図１１に示したようにズームレバーの形状は種々あるが、本発明の適用はそれに限定されるものではないことは、言うまでも無い。
【００３６】
また、図１２に示したように液晶パネル４と同一面にスピーカー１７を配置し、ズームレバー５を天面に配置することで、CH選局およびVOL調整がし易くなり、TVを視聴するときの操作性をさらに向上させることも可能である。このようなレイアウトであれば、操作性を損なうことなく、ビデオカメラを小型化することができる。
【図面の簡単な説明】
【００３７】
【図１】本発明の実施の形態におけるビデオカメラの側面図である。
【図２】本発明によるビデオカメラの側面図である。
【図３】本発明によるビデオカメラの側面図である。
【図４】本発明によるビデオカメラの側面図である。
【図５】本発明によるビデオカメラのメモリースロットを示す図である。
【図６】本発明によるビデオカメラのメモリースロットを示す図である。
【図７】本発明によるビデオカメラのメモリースロットを示す図である。
【図８】本発明によるビデオカメラの概略構成を示すブロック図である。
【図９】本発明によるビデオカメラの動作を示す図である。
【図１０】本発明によるビデオカメラの動作を示す図である。
【図１１】ズームレバーの各種形状を示す図である。
【図１２】本発明によるビデオカメラの図である。
【図１３】従来のビデオカメラの図である。
【符号の説明】
【００３８】
１  ビデオカメラ本体
２  メモリーカードスロット
３  TVチューナーカード
４  液晶パネル
５  ズームレバー
７  レンズ
８  マイク
９  トリガーボタン
１０  電源切り替えスイッチ
１１  テープ・カード切り替えスイッチ
１２  メモリーカード
１７  スピーカー
４０  フォーカスリング
４１  デッキ部
【図１】
0004564865.tif 000002
【図２】
0004564865.tif 000003
【図３】
0004564865.tif 000004
【図４】
0004564865.tif 000005
【図５】
0004564865.tif 000006
【図６】
0004564865.tif 000007
【図７】
0004564865.tif 000008
【図８】
0004564865.tif 000009
【図９】
0004564865.tif 000010
【図１０】
0004564865.tif 000011
【図１１】
0004564865.tif 000012
【図１２】
0004564865.tif 000013
【図１３】
0004564865.tif 000014